(57)【特許請求の範囲】
【請求項１】
建物の構築領域で地盤を連続的に掘削して形成された根切り部に所定間隔で設置される複数のプレキャストコンクリート底盤と、このプレキャストコンクリート底盤間に架設されるプレキャストコンクリート基礎と、
を含み、
前記プレキャストコンクリート基礎は、
直方体形状で下端部にテーパが形成され地盤との間に所定空間を形成して設置される立上り部と、
この立上り部の下部から側方に突出し前記所定空間と連通する開口部が形成されたフーティング部と、
を有することを特徴とするプレキャストコンクリート基礎構造。
【請求項２】
請求項１において、
前記フーティング部は、地盤との間に隙間をあけて設置されることを特徴とするプレキャストコンクリート基礎構造。
【請求項３】
建物の構築領域における出隅位置に設置されるプレキャストコンクリート基礎において、
直方体形状で地盤との間に所定空間を形成して設置される立上り部と、
この立上り部の下部から側方に突出し前記所定空間と連通する開口部が形成されたフーティング部とを有し、
前記立上り部は、前記出隅の端部に、前記出隅に沿って長手方向と直角に突出して外面角部を形成した凸部を有することを特徴とするプレキャストコンクリート基礎。
【請求項４】
建物の構築領域で地盤を連続的に掘削して根切り部を形成し、
この根切り部に所定間隔で複数のプレキャストコンクリート底盤を設置し、
このプレキャストコンクリート底盤間に、出隅位置の請求項３記載のプレキャストコンクリート基礎を含むフーティング部及び立上り部を一体に有する複数のプレキャストコンクリート基礎を架設し、
出隅位置のプレキャストコンクリート基礎の出隅側端部に形成された凸部の外面角部を基準にしてプレキャストコンクリート基礎の対角寸法を測定し、対角寸法を調整した後、
プレキャストコンクリート基礎のフーティング部に形成した開口部よりコンクリートを打設することを特徴とする基礎の施工方法。
【発明の詳細な説明】
【０００１】
【産業上の利用分野】
本発明は、建築物の地盤に構築されるプレキャストコンクリート基礎構造及びプレキャストコンクリート基礎並びに基礎の施工方法に関し、特に建築現場でのフーティング構築のために行われるコンクリート打設養生作業を簡略化できるプレキャストコンクリート基礎構造及びプレキャストコンクリート基礎並びに基礎の施工方法に関する。
【０００２】
【従来の技術】
建築物を安定した状態で構築するためには、まず地盤に基礎部を安定かつ的確に構築する必要がある。従来、住宅用の基礎部は、まず建物構築部分の地盤を連続的に掘削して根切り部を形成し、この根切り部に玉砂、利砕石などを敷いて型枠を組み、支持手段によりこの型枠を立設支持し、そして、この型枠内にコンクリートを打設し、養生して固化させることでフーティング、及び布基礎を構築し、その後、型枠を取り外し布基礎の表面をモルタル処理して構築されていた。
【０００３】
【発明が解決しようとする課題】
上記従来の基礎構築作業において、型枠を根切り部に沿って連続して立設する作業は、手間のかかるもので、工期の長期化につながり、コストを上昇させるものであった。また、コンクリートを養生する作業も、数日を必要とするもので工期を長引かせる原因となっており、さらに、型枠の取り外しやモルタル処理も手間のかかる作業であった。
【０００４】
そこで、建築現場における基礎部構築作業をより簡略化かつ迅速化するために、工場段階において予め製造されたプレキャストコンクリート（以下ＰＣという）基礎を根切り部に設置する構築形式が考えられた。
【０００５】
しかし、この構築形式によれば、ＰＣ基礎を所定位置に構築して、このＰＣ基礎の下部にコンクリートを打設、養生してフーティングを構築しなければならず、特にコンクリートを養生するために工期が長引くので、コストを十分に抑えることができないという問題があった。
【０００６】
また、ＰＣ基礎の設置時における寸法誤差調整が行いにくく、打設コンクリートの固化後では調整が困難で、調整に手間及び時間がかかるという問題もあった。
【０００７】
本発明は、上記従来の問題点に鑑みてなされたもので、その目的は、フーティング構築のための建築現場でのコンクリート打設、養生作業を簡略化できるプレキャストコンクリート基礎構造及びプレキャストコンクリート基礎並びに基礎の施工方法を提供することにある。
【０００８】
また、ＰＣ基礎設置時に容易に寸法誤差調整を行えるようすることにある。
【０００９】
【課題を解決するための手段】
前記目的を達成するために、請求項１記載の発明は、
建物の構築領域で地盤を連続的に掘削して形成された根切り部に所定間隔で設置される複数のプレキャストコンクリート底盤と、このプレキャストコンクリート底盤間に架設されるプレキャストコンクリート基礎と、
を含み、
前記プレキャストコンクリート基礎は、
直方体形状で下端部にテーパが形成され地盤との間に所定空間を形成して設置される立上り部と、
この立上り部の下部から側方に突出し前記所定空間と連通する開口部が形成されたフーティング部と、
を有することを特徴とする。
【００１０】
また、請求項２記載の発明は、請求項１において、前記フーティング部は、地盤との間に隙間をあけて設置されることを特徴とする。
【００１１】
更に、請求項３記載の発明は、建物の構築領域における出隅位置に設置されるプレキャストコンクリート基礎において、
直方体形状で地盤との間に所定空間を形成して設置される立上り部と、
この立上り部の下部から側方に突出し前記所定空間と連通する開口部が形成されたフーティング部とを有し、
前記立上り部は、前記出隅の端部に、前記出隅に沿って長手方向と直角に突出して外面角部を形成した凸部を有することを特徴とする。
【００１２】
そして更に、請求項４記載の発明は、建物の構築領域で底盤を連続的に掘削して根切り部を形成し、
この根切り部に所定間隔で複数のプレキャストコンクリート底盤を設置し、
このプレキャストコンクリート底盤間に、出隅位置の請求項３記載のプレキャストコンクリート基礎を含むフーティング部及び立上り部を一体に有する複数のプレキャストコンクリート基礎を架設し、
出隅位置のプレキャストコンクリート基礎の出隅側端部に形成された凸部の外面角部を基準にしてプレキャストコンクリート基礎の対角寸法を計測し、対角寸法を調整した後、
プレキャストコンクリート基礎を連結固定することを特徴とする。
【００１３】
【作用】
請求項１記載の発明によれば、建物構築領域で地盤を例えば布掘りして根切り部を形成し、この根切り部に所定間隔を置いて複数のＰＣ底盤を設置し、このＰＣ底盤にＰＣ基礎を架設する。
【００１４】
このＰＣ基礎は、立上り部とフーティング部とを有する形状に工場で製造されるものであって、表面が仕上げ処理されているので、特に、立上り部は、建築現場で表面処理を行なう必要がない。
【００１５】
そして、立上り部は、地盤との間に所定空間を形成するようになっており、ここにコンクリートを流入させてＰＣ基礎を地盤に固定させることができる。
【００１６】
また、フーティング部に形成された開口部はこの所定空間と連通するので、この開口部からコンクリートを打設することができる。
【００１７】
さらに、立上り部の下端部には、テーパが形成されているので、一方の側からコンクリートを打設すると、このコンクリートは他方の側に流れ込みやすくなっている。
【００１８】
したがって、例えば、建物の内側からコンクリートを打設すれば、外側にもコンクリートが流れ込むこととなり、外側からのコンクリート打設作業を省略できる。そうすると、立上り部における建物の外側面が打設コンクリートによって汚されることがなくなる。
【００１９】
また、請求項２記載の発明によれば、フーティング部が、地盤との間に隙間があくように設置されるので、地盤とフーティング部との間に打設コンクリートが流れ込んで一層しっかりと固定できることとなる。
【００２０】
更に、請求項３記載の発明によれば、フーティング部に形成された開口部よりコンクリートを打設することにより、コンクリートの打設量を少なくして打設作業を容易にし、かつフーティング部が打設コンクリートを囲むため養生期間中の他の作業も影響を受けることなく行なうことができ、工期の短縮及びコストの削減ができる上に、立上り部に形成した出隅側の凸部の外面角部を用いて対角寸法を測ることができ、寸法測定を確実に行なうことができる。
【００２１】
そして更に、請求項４記載の発明によれば、請求項３の状態に加え、プレキャストコンクリート基礎の架設後コンクリートの打設前に、立上り部の出隅側端部の凸部に形成される外面角部を基準にし対角寸法を測定して寸法調整を行なうことで、容易に寸法誤差を調整でき、精度の高い基礎の構築を行なうことができる。
【００２２】
【実施例】
以下、本発明の実施例について、図面を参照して説明する。
【００２３】
図１は、本実施例に係るプレキャストコンクリート基礎構造の全体斜視図である。同図において、ＰＣ布基礎１０が、根切り部２０に設置されたＰＣ底盤３０間に架設されている。
【００２４】
根切り部２０は、地盤１００を布掘りして形成されており、この根切り部２０のコーナー部および所定位置にＰＣ底盤３０が設置されている。
【００２５】
このＰＣ底盤３０は、補強鉄筋（図示せず）を内部に有して強化されたコンクリート板であるため、建築現場で補強鉄筋をこのＰＣ底盤３０上に配設する作業を省略できる。また、このＰＣ底盤３０は、上面が滑らかな平面となっており、ＰＣ布基礎１０を架設するときにこの上面に位置合わせのための墨出しを行えるようになっている。
【００２６】
また、このＰＣ底盤３０を根切り部２０に設置するときには、このＰＣ底盤３０の設置位置にモルタル２２の山を載置し、このモルタル２２の山を潰すようにしてＰＣ底盤３０を載置する。そして、このＰＣ底盤３０を掛矢等で叩いて所定の高さで上面がほぼ水平になるよう調整作業を行なう。なお、この作業は、水糸や水準器やレーザー光線による水準装置等を用いて水平レベルおよび高さを確認しながら行なう。
【００２７】
次に、こうして設置されたＰＣ底盤３０間に架設されるＰＣ布基礎１０について説明する。図１に示すように、ＰＣ布基礎１０には二種類があり、両端部に凹部１１が形成されたＰＣ布基礎１２（図１中右側）と、一方の端部に凹部１１が形成され他方の端部に凸部１３が形成されたＰＣ布基礎１４（図１中左側）とがある。
【００２８】
図２は、両端部に凹部１１が形成されたＰＣ布基礎１２を示し、（１）はその平面図、（２）はその正面図である。そして、図３は、図２（１）におけるＡ−Ａ線断面斜視図である。
【００２９】
これらの図において、ＰＣ布基礎１２は、立上り部１６とフーティング部１８とを有する。
【００３０】
立上り部１６は、上端面に建物を載置して支持するもので、内部に図示しない補強用の鉄筋が埋設されてコンクリートによって所定の厚さで直方体に形成されている。このように形成されていることから、図１に示すように、ＰＣ底盤３０、３０間に架設すると、この立上り部１６は、根切り部２０の地盤から所定間隔をあけて所定空間を形成した状態で設置されることとなる。
【００３１】
また、立上り部１６の両端部には、肉厚が厚くなって横断面コ字状の凹部１１が形成されている。そして、ＰＣ布基礎１２同士を直線状に接合するときには、それぞれの凹部１１を対向させて設置し、この凹部１１の内部に鉄筋を配設してコンクリートを打設することで、連結部の強化を図るようになっている。
【００３２】
さらに、この立上り部１６には、下端部にテーパ１７が形成されている。このテーパ１７は、立上り部１６の一方側からコンクリートを打設したときに、このコンクリートが他方側に流れ込みやすくするために形成したものである。
【００３３】
次に、フーティング部１８は、立上り部１６を支持するものであって、立上り部１６の両側面において、内部に図示しない鉄筋を有して下部から側方および下方に突出して形成されている。
【００３４】
具体的には、フーティング部１８は、立上り部１６との支持部１８ａと、フーティング形成領域を囲む囲繞部１８ｂとを含み、支持部１８ａは、強度を維持するために立ち上げ部１６の下端から下に延出する板状をなしている（図３参照）。
【００３５】
また、このフーティング部１８は、立上り部１６の軸方向の中央部に形成されており、上記凹部１１の側面にはこのフーティング部１８は形成されない構成となっている。したがって、図１に示すように、このＰＣ布基礎１２は、凹部１１の下面を架設部としてＰＣ底盤３０上に載置できるようになっている。
【００３６】
そして、このフーティング部１８にはコンクリート充填口１９が形成されている。このコンクリート充填口１９は、図２（１）に示すように、フーティング部１８の上から下に貫通し、立上り部１６と地盤との間の空間に連通する複数の矩形の穴であって、このコンクリート充填口１９から立上り部１６の下にコンクリートを打設して、フーティング部１８を地盤１００に強固に固定できるようになっている。
【００３７】
さらに、フーティング部１８は、ＰＣ布基礎１２がＰＣ底盤３０、３０間に架設されたときに、地盤との間に隙間があくようになっている。こうすることで、地盤とフーティング部１８との間に打設コンクリートが流れ込んで一層しっかりと固定できることとなる。
【００３８】
次に、図４は、一方の端部に凸部１３が形成され他方の端部に凹部１１が形成されたＰＣ布基礎１４を示し、（１）はその平面図、（２）はその正面図である。
【００３９】
このＰＣ布基礎１４は、建物の構築領域における出隅位置に設置されるもので、出隅側に位置する一方の端部に凸部１３を有する点で上記ＰＣ布基礎１２と異なる。
【００４０】
凸部１３は、基礎出隅のコーナー部において、上記ＰＣ布基礎１２と直角に接合するため、立上り部１６の一方出隅側の端部に出隅に沿って長手方向の軸に直角に突出して形成されるものである。
【００４１】
その結果、この凸部１３によって、出隅側の端部に直角な外面角部１３ａが形成されることとなり、この外面角部１３ａはＰＣ布基礎１４を設置した状態で、出隅角部に相当することとなり、この外面角部１３ａを基準とすることにより、容易に対角寸法を測定することが可能となる。
【００４２】
そして、この凸部１３の前端面には図示しない鉄筋が突出しており、この鉄筋を、接合されるＰＣ布基礎１２の凹部１１に挿入し、この凹部１１にコンクリートを打設、養生し固化したときに、ＰＣ布基礎１２とＰＣ布基礎１４とをしっかりと結合することができる。
【００４３】
また、この凸部１３が形成された端部にはフーティング部１８が形成されず、フーティング部１８は立上り部１６の中央部に形成された構成となっている。その他の構成は上記ＰＣ布基礎１２と同様である。
【００４４】
なお、ＰＣ布基礎１２およびＰＣ布基礎１４は、いずれも予め工場で表面が処理された状態となっている。
【００４５】
本実施例は、上記のように構成されており、以下本実施例に係る基礎の施工方法について説明する。
【００４６】
まず、図１に示すように、建物の構築領域で地盤１００を連続的に掘削して根切り部２０を形成する。この根切り部２０は、図６に示すように、ＰＣ布基礎１２，１４の設置部分に形成されている。
【００４７】
次いで、根切り部２０内に所定間隔で複数のＰＣ底盤３０を設置する。具体的には、ＰＣ底盤３０は、図６に示すように、ＰＣ布基礎１２，１４の連結位置に設置されるようになっており、その連結位置に、図１に示すように、モルタル２２の山を載置し、このモルタル２２の山を潰すようにして設置されるようになっている。また、この場合、ＰＣ底盤３０の上面に設置位置の墨出しを行ない位置合わせをすると共に、水糸、水準器あるいはレーザー光線による水準装置等を用いて水平レベル及び高さを調整する。
【００４８】
次に、所定間隔で設置したＰＣ底盤３０間に複数のＰＣ布基礎１２，１４を架設して連続した状態とする。この場合、出隅の頂部に位置する部分には凸部１３を有するＰＣ布基礎１４を設置し、他は凸部１３のないＰＣ布基礎１２を設置するようにしている。
【００４９】
そして、この凸部１３を有するＰＣ布基礎１４を出隅位置に設置した状態で、凸部１３の外面角部１３ａにより、出隅の角部が設定されることとなる。
【００５０】
そこで、この出隅の角部が設定された状態で、外面角部１３ａを基準としてＰＣ布基礎１２，１４の対角寸法Ｌを測定し、設計寸法に対し誤差がある場合には、その誤差調整を行なう。この場合、ＰＣ布基礎１２，１４は、仮置きされているだけであるため、誤差調整は容易かつ短時間で行なえ、工期短縮、コスト削減が可能である。
【００５１】
ここで、このＰＣ布基礎１２，１４にはフーティング部１８が一体的に形成されているので、建築現場でフーティング全体を構築する必要はない。ただ、コンクリートを打設する作業を行って、フーティング部１８を地盤１００に固定するだけで足りる。
【００５２】
そこで、コンクリート充填口１９からコンクリートを打設する。そうすると、このコンクリート充填口１９は、立上り部１８の下の空間と連通するので、この空間にコンクリートが流れ込む。さらに、立上り部１８の下端部には、テーパ１７が形成されているので、一方の側からコンクリートを打設すると、このコンクリートは他方の側に流れ込みやすくなっている。
【００５３】
したがって、例えば、建物の内側からコンクリートを打設すれば、外側にもコンクリートが流れ込むこととなり、外側からのコンクリート打設作業を省略できる。そうすると、立上り部１８における建物の外側面が打設コンクリートによって汚されることがなくなる。
【００５４】
さらに、打設されたコンクリートは、フーティング部１８の下にも流れ込むので、ＰＣ布基礎１０はしっかりと地盤に固定される。なお、フーティング１８の下からコンクリートが流れ出すのを見て、コンクリートの打設が適切に行われたかどうかを判断することもできる。
【００５５】
なお、本発明は、上記実施例に限定されるものではなく、発明の要旨の範囲内で種々の変形が可能である。
【００５６】
例えば、ＰＣ底盤に載置されるＰＣ布基礎の側端部の下部に溝を形成し、コンクリートを打設したときにこの溝にコンクリートが入り込んで一体化し、ＰＣ布基礎をしっかりと固定できるよう形成しても良い。
【００５７】
また、図５は、本実施例の変形例を示す縦断面図である。同図において、フーティング部の内側には、テーパ１８ｃが形成されている。このような構成にすると、地盤とフーティング部との間に打設されたコンクリートを介して充分に上部からの荷重を伝えることができる。また、このようにテーパ１８ｃが形成されていることから、上方からコンクリートが抜け出るパンチングが生じないこととなる。さらに、このような構成のＰＣ布基礎は、製造時に中子を一体的な形状としても脱型を容易に行なうことができる。
【００５８】
【発明の効果】
以上説明したように、請求項１記載の発明によれば、ＰＣ基礎がフーティング部を有しているので、建築現場でのコンクリート打設、養生作業を簡略化できるという効果がある。
【００５９】
また、コンクリート充填口にコンクリートを打設すると、立上り部のテーパによってコンクリートが反対側に流れやすくなるので、一方側からのコンクリート打設だけによって、ＰＣ基礎の固定を行なうことができる。こうすると、軽量化を図ることができてクレーンを小型化できるなど施工性に優れ、立上り部の他方側の側面を汚さずに済むこととなる。
【００６０】
そして、請求項２記載の発明によれば、地盤とフーティング部との間に打設コンクリートが流れ込んで一層しっかりと固定できるという効果がある。
【００６１】
更に、請求項３記載の発明によれば、フーティング部に形成された開口部よりコンクリートを打設することにより、コンクリートの打設量を少なくし、
打設作業を容易にしかつフーティング部が打設コンクリートを囲むため養生期間中の他の作業も影響を受けることなく行なうことができ、工期の短縮及びコストの削減ができる上に、立上り部に測ることができ、寸法測定を確実に行なうことができるという効果がある。
【００６２】
そして更に、請求項４記載の発明によれば、請求項３の状態に加え、プレキャストコンクリート基礎の架設後コンクリートの打設前に、立上りの出隅側端部の凸部に形成される外面角部を基準にして対角寸法を測定して寸法調整を行なうことで、容易に寸法誤差を調整でき、精度の高い基礎の構築を行なうことができるという効果がある。
【００６３】
【図面の簡単な説明】
【図１】本発明の一実施例に係るプレキャストコンクリート基礎構造の全体斜視図である。
【図２】両端部に凹部が形成されたＰＣ布基礎を示し、（１）はその平面図、（２）はその正面図である。
【図３】図２（１）におけるＡ−Ａ線断面斜視図である。
【図４】一方の端部に凸部が形成され他方の端部に凹部が形成されたＰＣ布基礎を示し、（１）はその平面図、（２）はその正面図である。
【図５】本発明の変形例を示す縦断面図である。
【図６】基礎の構築状態を示す平面図である。
【符号の説明】
１０  ＰＣ布基礎
１３  凸部
１３ａ  外面角部
１４  出隅位置のＰＣ布基礎
１６  立上り部
１８  フーティング部
１９  コンクリート充填口
２０  根切り部
２２  モルタル
３０  ＰＣ底盤
１００  地盤
【図１】
0003563128.tif 000002
【図２】
0003563128.tif 000003
【図３】
0003563128.tif 000004
【図４】
0003563128.tif 000005
【図５】
0003563128.tif 000006
【図６】
0003563128.tif 000007